(57)【要約】 【課題】簾の上桟に容易に取り付け、取り外しが容易にできる簾巻上げ器を提供する。【解決手段】巻上げ器本体１０の簾１００の上桟１０１への取付手段を、巻上げ器本体１０の後側に簾の上桟を係合保持する取付レバー１２を設けてある。該取付レバー１２は上部を前記巻上げ器本体１０の上部においてヒンジ連結して、常時はバネ１３により該取付レバー１２の下方に形成した抱持レバー部１４の先端を前記巻上げ器本体１０の下部に当接させて閉じらせて該抱持レバー部１４と前記巻上げ器本体１０の後側との間に上桟抱持部（Ａ）を形成したものである。【選択図】  図１
0003187211.tif 000002
【実用新案登録請求の範囲】
【請求項１】
簾の上桟に取り付ける巻上げ器本体に巻上げ紐の基端側を固定して該巻上げ紐の先端側を自由端として前記巻上げ器本体の前側に設けた滑車部に巻き掛けて、該巻上げ紐の基端側と滑車部との間の巻上げ紐の下方に形成される弧状受部を簾の下桟に臨ませて前記巻上げ紐の自由端の先端を引き手部に形成してなる簾巻上げ器において、
前記巻上げ器本体の簾の上桟への取付手段を、巻上げ器本体の後側に簾の上桟を係合保持する取付レバーを設けて、該取付レバーを前記巻上げ器本体の上部にヒンジ連結して、常時はバネにより該取付レバーの下方に形成した抱持レバー部の先端を前記巻上げ器本体の下部に当接させて、また、該抱持レバー部は取付レバーの上部に形成した引起しレバー部により前記バネに抗して開放可能としたことを特徴とする簾巻上げ器。
【請求項２】
前記取付レバーの外側に前記巻上げ紐との基端を固定する孔付鍔板部を張設した請求項１に記載の簾巻上げ器。
【請求項３】
前記巻上げ器本体に設けた滑車部の側部に該滑車部に巻き掛けた巻上げ紐を停止状態とするストッパを設けた請求項１又は２に記載の簾巻上げ器。
【請求項４】
前記抱持レバー部の下方に断面円形の上桟を抱持できる円弧状部を形成した請求項１〜３の何れか１項に記載の簾巻上げ器。
【請求項５】
前記抱持レバー部の上方に断面円形の上桟を抱持できる円弧状部を形成した請求項１〜３の何れか１項に記載の簾巻上げ器。
【請求項６】
前記巻上げ器本体の上端に吊掛部を一体に設けた請求項１〜４の何れか１項に記載の簾巻上げ器。
【請求項７】
前記簾巻上げ器を２個１組よりなるものとして、簾の上桟の両側に取り付けて、一方の簾巻上げ器の巻上げ紐の自由端を該一方の簾巻上げ器の滑車部の巻き掛けたうえさらに他方の簾巻上げ器の滑車部に該他方の簾巻上げ器の巻上げ紐の自由端と共に巻き掛けた請求項１〜６の何れか１項に記載の簾巻上げ器。
【考案の詳細な説明】
【技術分野】
【０００１】
本考案は、簾の上桟に容易に取り付け、取り外しができる簾巻上げ器に関するものである。
【背景技術】
【０００２】
簾巻上げ器としては、例えば、特許文献１（登録実用新案第３００１０４１号公報）や特許文献２（特開２００２−１９１４９５号公報）に記載のものが知られている。
【０００３】
前記特許文献１に開示されているものは、簾巻上げ器の簾へ取り付けは簾の上部枠にＵ字型枠を嵌め込んでねじで固定するものであり、取り付け、取り外しが面倒なものであった。
【０００４】
また、特許文献２に開示されているものは、簾巻上げ器の簾へ取り付けはクリップ状のフックにより簾の上桟を挟み込んで取り付けるものであり、これも前記と同様にで取り付け、取り外しが面倒なものである。
【先行技術文献】
【特許文献】
【０００５】
【特許文献１】登録実用新案第３００１０４１号公報
【特許文献２】特開２００２−１９１４９５号公報
【考案の概要】
【考案が解決しようとする課題】
【０００６】
本考案は前記のような問題を解決して、簾の上桟に容易に取り付け、取り外しが容易にできる簾巻上げ器を提供することを目的として完成されたものである。
【課題を解決するための手段】
【０００７】
本考案の簾巻上げ器は、簾の上桟に取り付ける巻上げ器本体に巻上げ紐の基端側を固定して該巻上げ紐の先端側を自由端として前記巻上げ器本体の前側に設けた滑車部に巻き掛けて、該巻上げ紐の基端側と滑車部との間の巻上げ紐の下方に形成される弧状受部を簾の下桟に臨ませて前記巻上げ紐の自由端の先端を引き手部に形成してなる簾巻上げ器において、前記巻上げ器本体の簾の上桟への取付手段を、巻上げ器本体の後側に簾の上桟を係合保持する取付レバーを設けて、該取付レバーを前記巻上げ器本体の上部にヒンジ連結して、常時はバネにより該取付レバーの下方に形成した抱持レバー部の先端を前記巻上げ器本体の下部に当接させて、また、該抱持レバー部は取付レバーの上部に形成した引起しレバー部により前記バネに抗して開放可能としたことを特徴とするものを基本の考案とする。
【０００８】
そして、前記取付レバーの外側に前記巻上げ紐との基端を固定する孔付鍔板部を張設することが好ましい。また、前記巻上げ器本体に設けた滑車部の側部に該滑車部に巻き掛けた巻上げ紐を停止状態とするストッパを設けることが好ましい。
【０００９】
また、前記抱持レバー部の下方に断面円形の上桟を抱持できる円弧状部を形成してもよい。また、前記抱持レバー部の上方に断面円形の上桟を抱持できる円弧状部を形成してもよい。
【００１０】
また、前記巻上げ器本体の上端に吊掛部を一体に設けてもよい。
【００１１】
さらに、前記簾巻上げ器を２個１組よりなるものとして、簾の上桟の両側に取り付けて、一方の簾巻上げ器の巻上げ紐の自由端を該一方の簾巻上げ器の滑車部の巻き掛けたうえさらに他方の簾巻上げ器の滑車部に該他方の簾巻上げ器の巻上げ紐の自由端と共に巻き掛けたものとしてもよい。
【考案の効果】
【００１２】
前記した本考案の簾巻上げ器は、巻上げ紐の引き手部を引き下げれば、巻上げ紐は滑車部を支点に簾の下桟に臨ませた弧状受部を引き上げるので簾は下桟を芯に上方に巻き上げることができるものである。
【００１３】
そして、前記巻上げ器本体の上桟への取り付けは、前記取付レバーをその上端に連設した引起しレバー部を前記バネに抗して引き起こして該取付レバーの下端に形成した抱持レバー部の先端を前記巻上げ器本体の下部への当接を解除して開放させて、この開放させた空間部から簾の上桟を挿入して前記抱持レバー部と巻上げ器本体の後側との間に該上桟を位置させる。続いて、前記引起しレバー部の引き起こしを解除すれば前記バネの弾発力により該取付レバーの下方に形成した抱持レバー部の先端が前記巻上げ器本体の下部に当接して閉じることとなり該抱持レバー部と巻上げ器本体の後側との間に形成される上桟抱持部に該上桟が抱持されて、巻上げ器本体の上桟への取り付けを引起しレバー部を操作することにより行うことができるものである。
【００１４】
また、巻上げ器本体の簾の上桟からの取り外しは、引起しレバー部により前記取付レバーを前記バネに抗して開放させて、上桟から巻上げ器本体を上方に引き上げれば、簡単に行うことができるものである。
【００１５】
また、前記取付レバーの外側に前記巻上げ紐の基端を固定する孔付鍔板部を張設すれば、前記巻上げ紐の巻上げ器本体のへの取り付けが容易となるものである。
【００１６】
また、前記巻上げ器本体に設けた滑車部の側部に該滑車部に巻き掛けた巻上げ紐を停止状態とするストッパを設けたものとすると、所定の巻上げ量となったところで巻上げ紐を振ってストッパにより巻上げを停止させて簾の巻上げた状態を維持でき、別異に巻上げ紐を係止するためのフック部を窓枠等に設置しなくても良いものである。
【００１７】
また、前記抱持レバー部の下方又は上方に断面円形の上桟を抱持できる円弧状部を形成すれば、割竹のような断面縦長状の上桟は勿論のこと丸竹等の円柱状の上桟にも巻上げ器本体を的確に保持できるばかりでなく、さらに、円弧状部内に収まるものであれば種々の断面形状の上桟にも対応できるものである。
【００１８】
また、前記巻上げ器本体の上端に吊掛部を一体に設けることにより、複数の簾巻上げ器を使用した場合には別異に吊掛具を用意する必要がないものである。
【００１９】
さらに、前記簾巻上げ器を２個１組よりなるものとして、簾の上桟の両側に取り付けて、一方の簾巻上げ器の巻上げ紐の自由端を該一方の簾巻上げ器の滑車部の巻き掛けたうえ該巻上げ紐の自由端をさらに他方の主簾巻上げ器の滑車部に該他方の簾巻上げ器の巻上げ紐の自由端と共に巻き掛けたものとすると、簾は左右方向においてバランス良く巻き上げ巻き下しができるものである。
【図面の簡単な説明】
【００２０】
【図１】本考案の実施形態を示す概略的な斜視図。
【図２】本考案の実施形態に使用する巻上げ器本体（ストッパ付き）を示す斜視図。
【図３】本考案の実施形態に使用する巻上げ器本体（ストッパ付き）を示す側面図。
【図４】本考案の実施形態に使用する巻上げ器本体（ストッパ付き）を示す正面図。
【図５】本考案の実施形態に使用する巻上げ器本体（ストッパ付き）を示す背面図。
【図６】本考案の実施形態に使用する巻上げ器本体（ストッパ付き）を示す横断面図。
【図７】本考案の実施形態に使用する巻上げ器本体（ストッパ付き）を示す底面図。
【図８】本考案の実施形態に使用する巻上げ器本体（ストッパ無し）を示す斜視図。
【図９】本考案の実施形態に使用する巻上げ器本体（ストッパ無し）を示す正面図。
【図１０】本考案の実施形態に使用する巻上げ器本体を取付レバーを解放して示す側面図。
【図１１】本考案の実施形態に使用する巻上げ器本体を断面円形の上桟に取り付けた状態を示す側面図。
【図１２】本考案の実施形態に使用する巻上げ器本体を断面縦長四角形の上桟に取り付けた状態を示す側面図。
【図１３】本考案の実施形態の他例を示す概略図。
【図１４】本考案の実施形態の他例に使用する巻上げ器本体を示す側面図。
【考案を実施するための形態】
【００２１】
次に、本考案の好ましい実施の形態を図面に基づき説明する。
図１は本考案の実施形態を示す概略的な斜視図であり、この図において１は簾巻上げ器であり、該簾巻上げ器１は２個１組として簾１００の上桟１０１の左右両側に取り付けたものである。
【００２２】
前記各簾巻上げ器１は、簾１００の上桟１０１に取り付ける巻上げ器本体１０の後側に巻上げ紐２の基端側２１を固定して先端側２２を自由端として前記巻上げ器本体１０の前側に設けた滑車部１１に巻き掛けて、該巻上げ紐２の基端側２１と滑車部１１との間の巻上げ紐２の下方に形成される弧状受部２３を簾の下桟１０２に臨ませて前記巻上げ紐２の自由端とした先端側を引き手部２４に形成したものである。なお、滑車部１１は巻上げ器本体１０の前方下端に形成した枠部１０ａに設けたものとしている。
【００２３】
前記巻上げ器本体１０の簾１００の上桟１０１への取付手段は、巻上げ器本体１０の後側に上桟１０１を係合保持する取付レバー１２を設けたものである。該取付レバー１２は前記巻上げ器本体１０の上部においてヒンジ連結して、常時はバネ１３により該取付レバー１２の下端に形成した抱持レバー部１４の先端を前記巻上げ器本体１０の下部に当接させて閉じらせて該抱持レバー部１４と前記巻上げ器本体１０の後側との間に上桟抱持部（Ａ）を形成するものとしている。また、該取付レバー１２は前記ヒンジ連結箇所の上部に形成した引起しレバー部１５により前記バネ１３に抗して該抱持レバー部１４を開放可能としたものである。
【００２４】
なお、前記取付レバー１２の前記巻上げ器本体１０の上部におけるヒンジ連結は、図２、図３及び図６に示すように取付レバー１２の上部両側の後方に張設したヒンジ腕部１２ａ、１２ａと巻上げ器本体１０の上部両側の前方に張設したヒンジ腕部１０ｂ、１０ｂとを重ね合わせて軸棒１２ｂで枢支したものである。そして、前記軸棒１２ｂに鋏形バネであるバネ１３をそのコイル部１３ａを嵌合して両端部１３ｂ、１３ｂを巻上げ器本体１０と引起しレバー部１５とに当接して、該バネ１３により前記取付レバー１２の下方に形成した抱持レバー部１４の先端を前記巻上げ器本体１０の下部に当接させて閉じるものとしている。
【００２５】
前記したような取付手段により、前記巻上げ器本体１０の上桟１０１への取り付けは、図１０に示すように前記取付レバー１２をその上端に連設した引起しレバー部１５を前記バネ１３に抗して引き起こして該取付レバー１２の下方に形成した抱持レバー部１４の先端を前記巻上げ器本体１０の下部への当接を解除して開放させて、この開放させた空間部から簾１００の上桟１０１を挿入して前記抱持レバー部１４と巻上げ器本体１０の後側との間に該上桟１０１を位置させて、次に前記引起しレバー部１５の引き起こしを解除すれば前記バネ１３により該取付レバー１２の下方に形成した抱持レバー部１４の先端を前記巻上げ器本体２の下部に当接させて閉じらせて該抱持レバー部１４と巻上げ器本体１０の後側との間に形成させる上桟抱持部（Ａ）に該上桟１０１が図１１、図１２に示すように抱持されるものである。このように、巻上げ器本体２の上桟１０１への取り付けを引き起こしレバー１５の操作により容易に行うことができるものである。
【００２６】
また、巻上げ器本体１０の上桟１０１からの取り外しは、引起しレバー部１５により前記取付レバー１２の抱持レバー部１５を前記バネ１３に抗して開放させて、巻上げ器本体１０を上桟１０１から上方に引き上げればよいものである。
【００２７】
また、前記抱持レバー部１４は下方に断面円形の上桟を抱持できる円弧状部１４ａを形成しているので、図１１、図１２に示すように割竹のような断面縦長状の上桟は勿論のこと丸竹等の円柱状の上桟にも巻上げ器本体に的確に保持できるばかりでなく、さらに、円弧状部１４ａ内に収まるものであれば種々の断面形状の上桟に対応できるものである。
【００２８】
また、前記取付レバー１２の外側には前記巻上げ紐２の基端を固定する孔付鍔板部１６を張設してあるので前記巻上げ紐２の巻上げ器本体１０のへの取り付けが容易となるものである。
【００２９】
また、前記巻上げ器本体１０に設けた滑車部１１の側部に該滑車部１１に巻き掛けた巻上げ紐２を停止状態とするストッパ１７を設けている。なお、このストッパ１７は簾１００の上桟１０１の左右両側に取り付けた一方の簾巻上げ器１すなわち図１の右側の簾巻上げ器１にのみ設けたものである。すなわち図２−図7に示すものがストッパ１７付きの巻上げ器本体１０であり、図８、図９に示すものがストッパ１７無しの巻上げ器本体１０である。また、１８は前記巻上げ器本体１の上端に一体に設けた吊掛部である。
【００３０】
なお、図１に示すように簾巻上げ器１の２個を一組として上桟１０１の左右両側に取り付け、主簾巻上げ器１（１ａ）と副巻上げ器１（１ｂ）として、前記副簾巻上げ器１（１ｂ）の巻上げ紐２の自由端を該副簾巻上げ器１（１ｂ）の滑車部１１の巻き掛けたうえ前記主簾巻上げ器１（１ａ）の滑車部１１に該主簾巻上げ器（１ａ）の巻上げ紐２の自由端と共に巻き掛けたものとしている。
【００３１】
また、前記ストッパ１７は、図２、図４、図７に示すように噛み爪１７ａを多数設けた駒体１７ｂの上部を前記枠部１０ａに架設した軸部１７ｃに軸支したものである。このようなストッパ１７は、巻上げ紐２を引き下げると駒体１７ｂの噛み爪１７ａの下方が開き該噛み爪１７ａの巻上げ紐２の喰い込みが解除されて、巻上げ紐２を引き下げて簾を巻き上げることができるものである。簾を巻き上げた状態を維持する場合は巻上げ紐２をストッパ１７側に振ると噛み爪１７ａが巻上げ紐２の側面に喰い込むこととなり、噛み爪１７ａと滑車部１１との間で巻上げ紐２が停止状態を維持して簾の巻上げ状態を保持することとなる。
【００３２】
また、図１３に示すように、巻上げ器本体１０の１個を別異の吊掛具３０，３０で両側を吊下げた簾１００の上桟１０１の中央に取り付けてもよいものである。この場合には前記した巻上げ器本体１０を使用できるが、この図１３及び図１４に示す巻上げ器本体１０を使用してもよい。
【００３３】
すなわち、この図１３及び図１４に示す巻上げ器本体１０は吊掛部を無いものとして、また、前記抱持レバー部１４は上方に断面円形の上桟を抱持できる円弧状部１４ａを形成して、さらに、滑車部１１は巻上げ紐２を前後方向に巻き掛けるように形成しているのが、前記図１−１２に示す巻上げ器本体１０と相違するが、他の構成は同じであり、図１４において同一符号を付して、前記説明を援用する。
【符号の説明】
【００３４】
１  簾巻上げ器
10  巻上げ器本体
10a 枠部
11  滑車部
12  取付レバー
13  バネ
14  抱持レバー部
14a 円弧状部
15  引起しレバー部
16  孔付鍔板部
17  ストッパ
17a 噛み爪
17b 駒体
18  吊掛部
２  巻上げ紐
21  巻上げ紐の基端側
22  巻上げ紐の先端側
23  弧状受部
24  引き手部
100 簾
101 上桟
Ａ  上桟抱持部
【図１】
0003187211.tif 000003
【図２】
0003187211.tif 000004
【図３】
0003187211.tif 000005
【図４】
0003187211.tif 000006
【図５】
0003187211.tif 000007
【図６】
0003187211.tif 000008
【図７】
0003187211.tif 000009
【図８】
0003187211.tif 000010
【図９】
0003187211.tif 000011
【図１０】
0003187211.tif 000012
【図１１】
0003187211.tif 000013
【図１２】
0003187211.tif 000014
【図１３】
0003187211.tif 000015
【図１４】
0003187211.tif 000016